(57)【要約】【課題】正確な温度制御により波長変換素子の温度変化を低減させ、高い効率で安定した光量のレーザ光を供給可能な光源装置、及びその光源装置を用いるプロジェクタを提供すること。【解決手段】レーザ光を供給する光源部と、光源部からのレーザ光の波長を変換する波長変換素子であるＳＨＧ素子１４と、波長変換素子を支持する支持部１５と、波長変換素子の温度を計測する温度計測部であるサーミスタ２０と、温度計測部による計測結果に基づいて波長変換素子の温度を調節する温度調節部であるペルチェ素子１６と、を有し、温度計測部は、支持部１５側から波長変換素子へ密着させて配置される。【選択図】図２
2008175937.tif 000002
【特許請求の範囲】
【請求項１】
レーザ光を供給する光源部と、
前記光源部からの前記レーザ光の波長を変換する波長変換素子と、
前記波長変換素子を支持する支持部と、
前記波長変換素子の温度を計測する温度計測部と、
前記温度計測部による計測結果に基づいて前記波長変換素子の温度を調節する温度調節部と、を有し、
前記温度計測部は、前記支持部側から前記波長変換素子へ密着させて配置されることを特徴とする光源装置。
【請求項２】
前記温度計測部は、前記支持部に形成された凹部に配置されることを特徴とする請求項１に記載の光源装置。
【請求項３】
前記支持部は、前記波長変換素子側に設けられた設置面上に前記波長変換素子を設置し、
前記設置面は、前記温度計測部のうち前記波長変換素子に密着させる面の延長面と略一致することを特徴とする請求項２に記載の光源装置。
【請求項４】
前記温度計測部に対して前記波長変換素子が設けられる側とは反対側に設けられた弾性部材を有し、
前記支持部は、前記波長変換素子側に設けられた設置面上に前記波長変換素子を設置し、
前記弾性部材は、押圧により変形することで、前記温度計測部のうち前記波長変換素子に密着させる面の延長面と前記設置面とを略一致させることを特徴とする請求項２に記載の光源装置。
【請求項５】
前記温度調節部は、前記支持部に対して前記波長変換素子が設けられる側とは反対側に設けられ、
前記支持部は、前記温度調節部からの熱を拡散させることを特徴とする請求項１〜４のいずれか一項に記載の光源装置。
【請求項６】
前記温度計測部及び前記支持部の間に設けられ、前記支持部において拡散された前記温度調節部からの熱の伝播を低減させる断熱部材を有することを特徴とする請求項５に記載の光源装置。
【請求項７】
前記温度計測部に接続された配線部と、
前記配線部及び前記支持部を電気的に絶縁する絶縁部材と、を有することを特徴とする請求項１〜６のいずれか一項に記載の光源装置。
【請求項８】
前記波長変換素子を前記支持部に固定する固定部材を有することを特徴とする請求項１〜７のいずれか一項に記載の光源装置。
【請求項９】
請求項１〜８のいずれか一項に記載の光源装置と、
前記光源装置からの光を画像信号に応じて変調する空間光変調装置と、を有することを特徴とするプロジェクタ。
【発明の詳細な説明】
【技術分野】
【０００１】
本発明は、光源装置及びプロジェクタ、特に、レーザ光を供給する光源装置の技術に関する。
【背景技術】
【０００２】
近年、プロジェクタの光源装置において、レーザ光を供給するレーザ光源を用いる技術が提案されている。プロジェクタの光源装置として従来用いられているＵＨＰランプと比較すると、レーザ光源を用いる光源装置は、高い色再現性、瞬時点灯が可能、長寿命である等の利点がある。レーザ光源を用いる光源装置としては、レーザ光源からの基本波レーザを直接供給するものの他、基本波レーザの波長を変換して供給するものが知られている。基本波レーザの波長を変換する波長変換素子として、例えば第二高調波発生（Second−Harmonic  Generation；ＳＨＧ）素子が知られている。波長変換素子を用いることで、容易に入手可能な汎用のレーザ光源を用いて、所望の波長のレーザ光を供給することが可能となる。また、十分な光量のレーザ光を供給可能な構成とすることもできる。ＳＨＧ素子は、温度変化によって屈折率分布が変化する場合、位相整合条件が崩れ、波長を変換する効率が低下することが知られている。高い効率で安定した光量のレーザ光を供給するためには、波長変換素子の温度変化を低減させることが望まれる。例えば、特許文献１に提案されている技術では、熱伝導性を持つ基板に波長変換素子を取り付け、基板内に配置されたサーミスタにより計測された温度に基づいて基板の温度制御を行う。
【０００３】
【特許文献１】特開平５−１９８８７０号公報
【発明の開示】
【発明が解決しようとする課題】
【０００４】
波長変換素子自体ではなく基板の温度を計測する構成の場合、基板の温度と波長変換素子の温度との相関関係を予め求めることにより波長変換素子の温度を予測することが可能となる。しかし、例えば光源装置の環境温度の変化やレーザ出力の変化に伴い波長変換素子へのレーザ光の吸収量が変化する等、外的要因の変化があった場合、予め設定された相関関係が崩れてしまう。この場合、波長変換素子の温度変化を正確に検知することが難しくなる。このため従来の技術によると、波長変換素子の温度変化を低減させる正確な温度制御が困難であるという問題を生じる。本発明は、上述の問題に鑑みてなされたものであり、正確な温度制御により波長変換素子の温度変化を低減させ、高い効率で安定した光量のレーザ光を供給可能な光源装置、及びその光源装置を用いるプロジェクタを提供することを目的とする。
【課題を解決するための手段】
【０００５】
上述した課題を解決し、目的を達成するために、本発明によれば、レーザ光を供給する光源部と、光源部からのレーザ光の波長を変換する波長変換素子と、波長変換素子を支持する支持部と、波長変換素子の温度を計測する温度計測部と、温度計測部による計測結果に基づいて波長変換素子の温度を調節する温度調節部と、を有し、温度計測部は、支持部側から波長変換素子へ密着させて配置されることを特徴とする光源装置を提供することができる。
【０００６】
波長変換素子へ密着させて温度計測部を配置することで、温度計測部は、波長変換素子自体の温度を計測することが可能となる。波長変換素子自体の温度を計測することで、外的要因の変化があった場合であっても波長変換素子の温度を正確に計測することができる。波長変換素子の温度を正確に計測可能とすることで、波長変換素子の温度変化を正確に検知可能とし、波長変換素子の温度変化を低減させる正確な温度制御が可能となる。波長変換素子の温度変化を低減させることで、高い効率で安定した光量のレーザ光を供給することができる。これにより、正確な温度制御により波長変換素子の温度変化を低減させ、高い効率で安定した光量のレーザ光を供給可能な光源装置を得られる。
【０００７】
また、本発明の好ましい態様としては、温度計測部は、支持部に形成された凹部に配置されることが望ましい。これにより、支持部側から波長変換素子へ密着させて温度計測部を配置することができる。また、支持部のうち凹部が形成された部分以外の部分により波長変換素子を支持することができる。
【０００８】
また、本発明の好ましい態様としては、支持部は、波長変換素子側に設けられた設置面上に波長変換素子を設置し、設置面は、温度計測部のうち波長変換素子に密着させる面の延長面と略一致することが望ましい。これにより、凹部に配置された温度計測部と波長変換素子とを密着させることができる。
【０００９】
また、本発明の好ましい態様としては、温度計測部に対して波長変換素子が設けられる側とは反対側に設けられた弾性部材を有し、支持部は、波長変換素子側に設けられた設置面上に波長変換素子を設置し、弾性部材は、押圧により変形することで、温度計測部のうち波長変換素子に密着させる面の延長面と前記設置面とを略一致させることが望ましい。弾性部材を用いることで、波長変換素子に温度計測部を押し当てる構成にできる。これにより、凹部に配置された温度計測部と波長変換素子とを密着させることができる。
【００１０】
また、本発明の好ましい態様としては、温度調節部は、支持部に対して波長変換素子が設けられる側とは反対側に設けられ、支持部は、温度調節部からの熱を拡散させることが望ましい。温度調節部から供給された熱は、支持部における拡散を経ることで均一化された後、波長変換素子へ供給される。波長変換素子へ均一化された熱を供給可能とすることで、波長変換素子全体の温度を均一化させることができる。温度を均一化させることで、波長変換素子における波長変換効率を均一化させることが可能となる。これにより、波長変換素子全体の温度を均一化させ、高い効率で安定した光量のレーザ光を供給することができる。
【００１１】
また、本発明の好ましい態様としては、温度計測部及び支持部の間に設けられ、支持部において拡散された温度調節部からの熱の伝播を低減させる断熱部材を有することが望ましい。断熱部材を用いることで、支持部から温度計測部への熱の伝播を遮断させる。これにより、温度計測部により波長変換素子の温度を正確に計測することができる。
【００１２】
また、本発明の好ましい態様としては、温度計測部に接続された配線部と、配線部及び支持部を電気的に絶縁する絶縁部材と、を有することが望ましい。これにより、支持部と配線部との導通を遮断させることができる。
【００１３】
また、本発明の好ましい態様としては、波長変換素子を支持部に固定する固定部材を有することが望ましい。固定部材を用いることで、波長変換素子と温度計測部とを密着させることができる。これにより、波長変換素子を支持部に固定するとともに、温度計測部と波長変換素子とを密着させることができる。
【００１４】
さらに、本発明によれば、上記の光源装置と、光源装置からの光を画像信号に応じて変調する空間光変調装置と、を有することを特徴とするプロジェクタを提供することができる。上記の光源装置を用いることにより、正確な温度制御により波長変換素子の温度変化を低減させ、高い効率で安定した光量のレーザ光を供給できる。これにより、高い効率で明るい画像を安定して表示可能なプロジェクタを得られる。
【発明を実施するための最良の形態】
【００１５】
以下に図面を参照して、本発明の実施例を詳細に説明する。
【実施例１】
【００１６】
図１は、本発明の実施例１に係る光源装置１０の概略構成を模式的に表したものである。光源装置１０は、半導体レーザ励起固体（Diode  Pumped  Solid  State；ＤＰＳＳ）レーザ発振器である。光源装置１０は、共振ミラー１２、１７を用いた共振器構造を有する。励起用レーザ１１は、例えば、８０８ｎｍの波長を持つレーザ光を供給する半導体レーザであって、端面発光型レーザである。励起用レーザ１１からのレーザ光は共振ミラー１２を通過した後、レーザ結晶１３へ入射する。レーザ結晶１３としては、例えばＮｄ：ＹＶＯ4結晶やＮｄ：ＹＡＧ（Ｙ3Ａｌ5Ｏ12）結晶を用いることができる。レーザ結晶１３は、励起されることによりレーザ発振し、例えば、１０６４ｎｍの波長を持つレーザ光を供給する。励起用レーザ１１及びレーザ結晶１３は、レーザ光を供給する光源部である。
【００１７】
ＳＨＧ素子１４は、レーザ結晶１３からのレーザ光の波長を変換する波長変換素子である。ＳＨＧ素子１４は、レーザ結晶１３からのレーザ光を、２分の１の波長のレーザ光に変換して出射させる。ＳＨＧ素子１４としては、例えば、非線形光学結晶を用いることができる。支持部１５は、ＳＨＧ素子１４を支持する。ペルチェ素子１６は、ＳＨＧ素子１４の温度を調節する温度調節部である。
【００１８】
ＳＨＧ素子１４は、例えば１０６４ｎｍのレーザ光を、５３２ｎｍのレーザ光に変換させる。所望の波長に変換されたレーザ光は、共振ミラー１７を通過し、光源装置１０から出射する。所望の波長以外の波長のレーザ光は、共振ミラー１７で反射する。２つの共振ミラー１２、１７間において所望の波長に変換されたレーザ光は、共振ミラー１７を通過し、光源装置１０から出射する。このようにして、所望の波長のレーザ光を効率良く出射させることができる。励起用レーザ１１は、端面発光型レーザである他、面発光型レーザであっても良い。
【００１９】
図２は、ＳＨＧ素子１４及びその周辺の各部の断面構成を示す。支持部１５は、ＳＨＧ素子１４側に設けられた設置面Ｓ１上にＳＨＧ素子１４を設置している。支持部１５は、高い熱伝導率を持つ部材、例えば銅を用いて形成された平板状構造体である。支持部１５のうちＳＨＧ素子１４側の中心部分には、凹部１８が形成されている。凹部１８は、矩形形状の断面を備える。設置面Ｓ１は、支持部１５のうち凹部１８が形成された部分以外の部分で構成される。支持部１５の設置面Ｓ１とＳＨＧ素子１４は、例えば熱伝導性接着剤を用いて接着されている。
【００２０】
サーミスタ２０は、凹部１８に配置されている。サーミスタ２０は、ＳＨＧ素子１４の温度を計測する温度計測部である。サーミスタ２０は、支持部１５側からＳＨＧ素子１４へ密着させて配置されている。支持部１５に凹部１８を形成することで、支持部１５側からＳＨＧ素子１４へ密着させてサーミスタ２０を配置できる。
【００２１】
ペルチェ素子１６は、支持部１５のうち設置面Ｓ１とは反対側の面上に設けられている。ペルチェ素子１６は、支持部１５に対してＳＨＧ素子１４が設けられる側とは反対側に設けられている。ペルチェ素子１６は、支持部１５を介して熱の供給、及び熱の吸収を行うことで、ＳＨＧ素子１４の温度を調節する。支持部１５は、ペルチェ素子１６からの熱を拡散させる。
【００２２】
図３は、凹部１８に設けられた各部について説明するものである。サーミスタ２０は、配線部２２上に実装されている。配線部２２は、電極２１を介してサーミスタ２０に接続されている。配線部２２は、サーミスタ２０へ電流を供給する。配線部２２としては、例えばフレキシブルケーブルを用いることができる。凹部１８の底面には、絶縁部材２３が設けられている。絶縁部材２３は、配線部２２及び支持部１５を電気的に絶縁する。絶縁部材２３としては、例えば絶縁性樹脂部材を用いることができる。
【００２３】
絶縁部材２３を設けることで、導電性部材である銅を用いた支持部１５と配線部２２との導通を遮断させることができる。配線部２２としては、フレキシブルケーブルの他、リード線等を用いることができる。絶縁部材で覆われた導線等を配線部として用いる場合、凹部１８の底面への絶縁部材２３の設置を省略しても良い。
【００２４】
図４は、ＳＨＧ素子１４、支持部１５及びサーミスタ２０を分解した状態を示す。凹部１８は、支持部１５の中心部から支持部１５の外縁部へ向けて溝状に形成されている。配線部２２は、サーミスタ２０が実装された状態で凹部１８に差し込まれる。サーミスタ２０が実装された配線部２２を凹部１８に差し込むことで、サーミスタ２０は、支持部１５の中心部に配置される。絶縁部材２３は、凹部１８のうち、サーミスタ２０を配置する支持部１５の中心部に配置されている。
【００２５】
図５は、サーミスタ２０による計測結果に基づいてＳＨＧ素子１４の温度を調節するためのブロック構成を示す。サーミスタ２０は、温度の変化を抵抗値の変化として温度制御部２５へ出力する。温度制御部２５は、サーミスタ２０により計測された温度とＳＨＧ素子１４の設定温度との温度差からペルチェ素子１６へ供給する電力量を計算し、計算された電力量に応じた電力をペルチェ素子１６へ供給する。温度制御部２５は、サーミスタ２０による計測結果に基づいてペルチェ素子１６のフィードバック制御を行う。ペルチェ素子１６は、サーミスタ２０による計測結果に基づいてＳＨＧ素子１４の温度を調節する。
【００２６】
図６は、支持部１５の構成、及びサーミスタ２０の配置について説明するものである。支持部１５の設置面Ｓ１は、サーミスタ２０のうちＳＨＧ素子１４に密着させる面Ｓ２の延長面Ｓ３と略一致する。かかる構成において設置面Ｓ１上にＳＨＧ素子１４を固定することで、凹部１８に配置されたサーミスタ２０とＳＨＧ素子１４とを密着させることができる。なお、ＳＨＧ素子１４とサーミスタ２０の面Ｓ２との間に、熱伝導性グリスや熱伝導性接着剤を介在させても良い。これにより、ＳＨＧ素子１４とサーミスタ２０との良好な密着性を確保し、かつ良好な熱伝導を可能とすることができる。
【００２７】
ＳＨＧ素子１４へ密着させてサーミスタ２０を配置することで、サーミスタ２０は、ＳＨＧ素子１４自体の温度を計測することが可能となる。ＳＨＧ素子１４自体の温度を計測することで、外的要因の変化があった場合であってもＳＨＧ素子１４の温度を正確に計測することができる。ＳＨＧ素子１４の温度を正確に計測可能とすることで、ＳＨＧ素子１４の温度変化を正確に検知可能とし、ＳＨＧ素子１４の温度変化を低減させる正確な温度制御が可能となる。ＳＨＧ素子１４の温度変化を低減させることで、高い効率で安定した光量のレーザ光を供給することができる。
【００２８】
これにより、正確な温度制御により波長変換素子の温度変化を低減させ、高い効率で安定した光量のレーザ光を供給できるという効果を奏する。温度調節部としては、ペルチェ素子１６を用いる場合に限られない。温度調節部としては、熱を供給するヒータ等を用いても良い。ヒータを用いる場合も、供給する熱量の調整によりＳＨＧ素子１４の温度を調節することができる。温度調節部の構成は、波長変換素子の設定温度に応じて適宜決定することができる。
【００２９】
図７は、絶縁部材としてゴム材３０を用いる構成について説明するものである。ゴム材３０は、絶縁部材である以外に、弾性部材及び断熱部材として機能する。断熱部材であるゴム材３０は、支持部１５において拡散された温度調節部からの熱の伝播を低減させる。サーミスタ２０及び支持部１５の間に断熱部材を設けることで、支持部１５からサーミスタ２０への熱の伝播を遮断させる。支持部１５から直接サーミスタ２０への熱の伝播を防ぐことで、サーミスタ２０によりＳＨＧ素子１４の温度を正確に計測することができる。
【００３０】
図８は、支持部１５の構成、及びサーミスタ２０の配置について説明するものである。支持部１５の設置面Ｓ１は、サーミスタ２０のうちＳＨＧ素子１４に密着させる面Ｓ２の延長面Ｓ３より僅かに低くなるように形成されている。かかる構成において設置面Ｓ１上にＳＨＧ素子１４を固定すると、弾性部材であるゴム材３０は、ＳＨＧ素子１４の押圧により変形する。ゴム材３０を押圧により変形させることにより、設置面Ｓ１は、延長面Ｓ３と略一致する。サーミスタ２０及び支持部１５の間に設けられたゴム材３０を用いることにより、ＳＨＧ素子１４にサーミスタ２０を押し当てる構成にできる。これにより、凹部１８に設けられたサーミスタ２０とＳＨＧ素子１４とを密着させることができる。
【００３１】
絶縁部材、弾性部材及び断熱部材であるゴム材３０を用いる構成とすることで、各部材を個々に設置する必要がないため、簡易な構成とすることができる。弾性部材としては、ゴム材３０に代えて他の弾性部材、例えばポーラスシリコン等のスポンジ部材や板バネ部材等を用いることができる。断熱部材としては、ゴム材３０以外の他の断熱部材を用いることとしても良い。絶縁部材についても、本実施例で説明する部材以外の絶縁部材を用いることとしても良い。
【００３２】
図９は、固定部材３２を用いる構成について説明するものである。固定部材３２は、ＳＨＧ素子１４のうち支持部１５と接する面以外の面を覆う。固定部材３２のうちＳＨＧ素子１４の周囲の部分は、支持部１５の設置面Ｓ１と接している。ネジ３３は、固定部材３２のうち設置面Ｓ１と接する部分と支持部１５とを固定する。固定部材３２は、ＳＨＧ素子１４を支持部１５に固定する。固定部材３２は、ＳＨＧ素子１４を支持部１５に固定可能であれば良く、いずれの部材で構成しても良い。固定部材３２は、例えば金属部材や樹脂部材で構成することができる。
【００３３】
固定部材３２を用いることで、ＳＨＧ素子１４とサーミスタ２０とを密着させることができる。これにより、ＳＨＧ素子１４を支持部１５に固定するとともに、サーミスタ２０とＳＨＧ素子１４とを密着させることができる。固定部材３２と支持部１５とはネジ３３を用いて固定する他、例えば固定部材３２と支持部１５との溶接により固定することとしても良い。本発明の光源装置１０は、ＤＰＳＳレーザ発振器である場合に限られない。光源部である半導体レーザからのレーザ光を波長変換素子へ入射させる光源装置であっても良い。この場合、光源部としては半導体レーザを用いる他、固体レーザ、液体レーザ、ガスレーザ等を用いても良い。
【実施例２】
【００３４】
図１０は、本発明の実施例２に係るプロジェクタ７０の概略構成を示す。プロジェクタ７０は、スクリーン８８に光を供給し、スクリーン８８で反射する光を観察することで画像を鑑賞するフロント投写型のプロジェクタである。上記実施例１と重複する説明は省略する。プロジェクタ７０は、赤色（Ｒ）光用光源装置８０Ｒ、緑色（Ｇ）光用光源装置８０Ｇ、青色（Ｂ）光用光源装置８０Ｂを有する。各色光用光源装置８０Ｒ、８０Ｇ、８０Ｂは、いずれも上記実施例１の光源装置１０（図１参照）と同様の構成を有する。プロジェクタ７０は、各色光用光源装置８０Ｒ、８０Ｇ、８０Ｂからの光を用いて画像を表示する。
【００３５】
Ｒ光用光源装置８０Ｒは、Ｒ光を供給する光源装置である。拡散素子８１は、照明領域の整形、拡大、照明領域におけるレーザ光の光量分布の均一化を行う。拡散素子８１としては、例えば、回折光学素子である計算機合成ホログラム（Computer  Generated  Hologram；ＣＧＨ）を用いることができる。フィールドレンズ８２は、拡散素子８１からのレーザ光を平行化させ、Ｒ光用空間光変調装置８３Ｒへ入射させる。Ｒ光用空間光変調装置８３Ｒは、画像信号に応じてＲ光を変調する空間光変調装置であって、透過型液晶表示装置である。Ｒ光用空間光変調装置８３Ｒで変調されたＲ光は、色合成光学系であるクロスダイクロイックプリズム８４へ入射する。
【００３６】
Ｇ光用光源装置８０Ｇは、Ｇ光を供給する光源装置である。拡散素子８１及びフィールドレンズ８２を経たレーザ光は、Ｇ光用空間光変調装置８３Ｇへ入射する。Ｇ光用空間光変調装置８３Ｇは、画像信号に応じてＧ光を変調する空間光変調装置であって、透過型液晶表示装置である。Ｇ光用空間光変調装置８３Ｇで変調されたＧ光は、Ｒ光とは異なる側からクロスダイクロイックプリズム８４へ入射する。
【００３７】
Ｂ光用光源装置８０Ｂは、Ｂ光を供給する光源装置である。拡散素子８１及びフィールドレンズ８２を経たレーザ光は、Ｂ光用空間光変調装置８３Ｂへ入射する。Ｂ光用空間光変調装置８３Ｂは、画像信号に応じてＢ光を変調する空間光変調装置であって、透過型液晶表示装置である。Ｂ光用空間光変調装置８３Ｂで変調されたＢ光は、Ｒ光、Ｇ光とは異なる側からクロスダイクロイックプリズム８４へ入射する。透過型液晶表示装置としては、例えば高温ポリシリコンＴＦＴ液晶パネル（High  Temperature  Polysilicon；ＨＴＰＳ）を用いることができる。
【００３８】
クロスダイクロイックプリズム８４は、互いに略直交させて配置された２つのダイクロイック膜８５、８６を有する。第１ダイクロイック膜８５は、Ｒ光を反射し、Ｇ光及びＢ光を透過させる。第２ダイクロイック膜８６は、Ｂ光を反射し、Ｒ光及びＧ光を透過させる。クロスダイクロイックプリズム８４は、それぞれ異なる方向から入射したＲ光、Ｇ光及びＢ光を合成し、投写レンズ８７の方向へ出射させる。投写レンズ８７は、クロスダイクロイックプリズム８４で合成された光をスクリーン８８の方向へ投写する。
【００３９】
上記の光源装置１０と同様の構成を有する各色光用光源装置８０Ｒ、８０Ｇ、８０Ｂを用いることにより、正確な温度制御により波長変換素子の温度変化を低減させ、高い効率で安定した光量のレーザ光を供給できる。これにより、高い効率で明るい画像を安定して表示できるという効果を奏する。プロジェクタ７０は、空間光変調装置として透過型液晶表示装置を用いる場合に限られない。空間光変調装置としては、反射型液晶表示装置（Liquid  Crystal  On  Silicon；ＬＣＯＳ）、ＤＭＤ（Digital  Micromirror  Device）、ＧＬＶ（Grating  Light  Valve）等を用いても良い。
【００４０】
プロジェクタ７０は、色光ごとに空間光変調装置を備える構成に限られない。プロジェクタ７０は、一の空間光変調装置により２つ又は３つ以上の色光を変調する構成としても良い。プロジェクタは、スクリーンの一方の面に光を供給し、スクリーンの他方の面から出射される光を観察することで画像を鑑賞する、いわゆるリアプロジェクタであっても良い。さらに、本発明の光源装置は、プロジェクタに適用する場合に限られない。例えば、レーザ光を用いて露光を行う露光装置や、レーザ光により照明された像をモニタするモニタ装置等に適用することとしても良い。
【産業上の利用可能性】
【００４１】
以上のように、本発明に係る光源装置は、プロジェクタに用いる場合に適している。
【図面の簡単な説明】
【００４２】
【図１】本発明の実施例１に係る光源装置の概略構成を模式的に表した図。
【図２】ＳＨＧ素子及びその周辺の各部の断面構成を示す図。
【図３】凹部に設けられた各部について説明する図。
【図４】ＳＨＧ素子、支持部及びサーミスタを分解した状態を示す図。
【図５】ＳＨＧ素子の温度を調節するためのブロック構成を示す図。
【図６】支持部の構成、及びサーミスタの配置について説明する図。
【図７】絶縁部材としてゴム材を用いる構成について説明する図。
【図８】支持部の構成、及びサーミスタの配置について説明する図。
【図９】固定部材を用いる構成について説明する図。
【図１０】本発明の実施例２に係るプロジェクタの概略構成を示す図。
【符号の説明】
【００４３】
１０  光源装置、１１  励起用レーザ、１２  共振ミラー、１３  レーザ結晶、１４  ＳＨＧ素子、１５  支持部、１６  ペルチェ素子、１７  共振ミラー、１８  凹部、２０  サーミスタ、２１  電極、２２  配線部、２３  絶縁部材、Ｓ１  設置面、２５  温度制御部、Ｓ２  面、Ｓ３  延長面、３０  ゴム材、３２  固定部材、３３  ネジ、７０  プロジェクタ、８０Ｒ  Ｒ光用光源装置、８０Ｇ  Ｇ光用光源装置、８０Ｂ  Ｂ光用光源装置、８１  拡散素子、８２  フィールドレンズ、８３Ｒ  Ｒ光用空間光変調装置、８３Ｇ  Ｇ光用空間光変調装置、８３Ｂ  Ｂ光用空間光変調装置、８４  クロスダイクロイックプリズム、８５  第１ダイクロイック膜、８６  第２ダイクロイック膜、８７  投写レンズ、８８  スクリーン
【図１】
2008175937.tif 000003
【図２】
2008175937.tif 000004
【図３】
2008175937.tif 000005
【図４】
2008175937.tif 000006
【図５】
2008175937.tif 000007
【図６】
2008175937.tif 000008
【図７】
2008175937.tif 000009
【図８】
2008175937.tif 000010
【図９】
2008175937.tif 000011
【図１０】
2008175937.tif 000012